(57)【要約】【課題】光ケーブル心線が風などで振れて損傷しないようにすることができる光ケーブル心線振止め具を提供する。【解決手段】光ケーブル１０から剥き出された光ケーブル心線１１を処理する際に光ケーブル心線１１を支持するのに用いられる光ケーブル心線振止め具１であって、本体２と、本体２から突出して設けられたかつ光ケーブル心線１１を支持するための第１乃至第４の心線受け３1〜３4と、本体２の一端部に設けられた引掛け部４とを具備する。光ケーブル心線１１は、第１乃至第４の心線受け３1〜３4に載せられて第１乃至第４の心線受け３1〜３4によって支持される。【選択図】図１
2007164015.tif 000002
【特許請求の範囲】
【請求項１】
光ケーブル（１０）から剥き出された光ケーブル心線（１１）を処理する際に該光ケーブル心線を支持するのに用いられる光ケーブル心線振止め具（１，３１，４１）であって、
本体（２，３２，４２）と、
該本体から突出して設けられた、かつ、前記光ケーブル心線を支持するための心線受け（３1〜３4，３３1〜３３4，４３1〜４３4）と、
前記本体の一端部に設けられた引掛け部（４，３４，４４）と、
を具備することを特徴とする、光ケーブル心線振止め具。
【請求項２】
前記心線受けの先端部が、前記光ケーブル心線振止め具の使用時の姿勢で上側となる向きに屈曲されており、
前記心線受けの屈曲部が、丸みをもたせて曲げられている、
ことを特徴とする、請求項１記載の光ケーブル心線振止め具。
【請求項３】
前記引掛け部が前記本体に対して着脱自在に設けられていることを特徴とする、請求項１または２記載の光ケーブル心線振止め具。
【請求項４】
前記光ケーブル心線が、前記心線受けに載せられて該心線受けによって支持されることを特徴とする、請求項１乃至３いずれかに記載の光ケーブル心線振止め具。
【請求項５】
前記光ケーブル心線が、複数個の前記光ケーブル心線振止め具の前記心線受けに順次載せられて支持されることを特徴とする、請求項４記載の光ケーブル心線振止め具。
【請求項６】
前記引掛け部（４）が、
間隔をあけて互いに平行に配された第１および第２の平板部（４ａ1，４ａ2）と、
該第１および第２の平板部同士をその上端部で連結する連結部（４ｂ）と、
前記引掛け部の前記本体と反対側の前記第１の平板部に先端部を前記第１および第２の平板部の間に位置させて取り付けられた、かつ、該第１の平板部を貫通した固定用ネジ（５）と、
該固定用ネジの先端部に設けられた、かつ、前記第１の平板部と前記第２の平板部との間で前記引掛け部を引っ掛ける対象を挟み付けるための押え板（６）と、
を備えることを特徴とする、請求項１乃至５いずれかに記載の光ケーブル心線振止め具。
【請求項７】
前記引掛け部（３４）が、
一部が開放したリング部（３４ａ）と、
該リング部を締め付けるためのボルト（３５ａ）およびナット（３５ｂ）と、
を備えることを特徴とする、請求項１乃至５いずれかに記載の光ケーブル心線振止め具。
【請求項８】
第１および第２の固定用ロープ（３８1，３８2）の一端が取り付けられたロープ取付部（３７）が、前記本体（３２）の下端に設けられていることを特徴とする、請求項７記載の光ケーブル心線振止め具。
【請求項９】
前記引掛け部（４４）が、フック（５２）に引っ掛けることができるように鉤型となっていることを特徴とする、請求項１乃至５いずれかに記載の光ケーブル心線振止め具。
【請求項１０】
前記本体の前記引掛け部と反対側に設けられた、かつ、他の光ケーブル心線振止め具の他の本体と連結するための連結手段（２ｂ）をさらに具備することを特徴とする、請求項１乃至９いずれかに記載の光ケーブル心線振止め具。
【発明の詳細な説明】
【技術分野】
【０００１】
本発明は、光ケーブル心線振止め具に関し、特に、屋外で光ケーブル心線の接続作業などを行う場合に、風などの自然の影響や人的影響によって光ケーブルやクロージャなどが揺れたときでも剥き出しにされた光ケーブル心線が折れたり傷付いたりしないようにするのに好適な光ケーブル心線振止め具に関する。
【背景技術】
【０００２】
従来、架設された光ケーブルの接続作業は、クロージャが設置された電柱付近で、高所作業車を用いるか足場を構築して、剥き出しにされた光ケーブル心線をクロージャから引き出して行っている。
【０００３】
なお、下記の特許文献１には、配線ケーブルに沿ったケーブル支持プレートに、配線ケーブル支持用の鋼撚り線からなる支持線に固定するハンガーと、ケーブルの二点を把持するケーブル把持部とを設け、ケーブル把持部に、配線ケーブルに圧接するように把持力６０〜９０ｋｇ好ましくは７０〜８０ｋｇを持つ合成ゴムからなる弾性把持部材を取付片によって挟圧配備した構成のケーブル留め具が開示されている。このケーブル留め具では、架空での光ケーブル配線において、接続ケーブル余長収納をケーブルを巻き付けて行う場合に、作業に手数と時間が掛からず、配線工事に作業者によるバラツキが生じることなく、ケーブルを収めて取り付けられ、ケーブルおよび心線に損傷を与えることなく、引っ張り強度の保証を確実化して信号伝送特性を維持できるほか、接続余長の取扱い並びに配線工事の安全簡便化を図り、ケーブル接続余長の信頼性を高めている。
【特許文献１】特開２００４−３０２４１８号公報
【発明の開示】
【発明が解決しようとする課題】
【０００４】
しかしながら、架設された光ケーブルの接続作業は、上述したように屋外での作業となりまた高所で行われることが多いため、風などの自然の影響や人的影響などによって光ケーブルやクロージャなどが揺れて光ケーブル心線同士または光ケーブル心線と他の部材とが接触または衝突すると、剥き出しにされた光ケーブル心線が折れたり傷付いたりするという問題があった。
【０００５】
本発明の目的は、光ケーブル心線が風などで振れて損傷しないようにすることができる光ケーブル心線振止め具を提供することにある。
【課題を解決するための手段】
【０００６】
本発明の光ケーブル心線振止め具は、光ケーブル（１０）から剥き出された光ケーブル心線（１１）を処理する際に該光ケーブル心線を支持するのに用いられる光ケーブル心線振止め具（１，３１，４１）であって、本体（２，３２，４２）と、該本体から突出して設けられたかつ前記光ケーブル心線を支持するための心線受け（３1〜３4，３３1〜３３4，４３1〜４３4）と、前記本体の一端部に設けられた引掛け部（４，３４，４４）とを具備することを特徴とする。
ここで、前記心線受けの先端部が、前記光ケーブル心線振止め具の使用時の姿勢で上側となる向きに屈曲されており、前記心線受けの屈曲部が、丸みをもたせて曲げられていてもよい。
前記引掛け部が前記本体に対して着脱自在に設けられていてもよい。
前記光ケーブル心線が、前記心線受けに載せられて該心線受けによって支持されていてもよい。
前記光ケーブル心線が、複数個の前記光ケーブル心線振止め具の前記心線受けに順次載せられて支持されてもよい。
前記引掛け部（４）が、間隔をあけて互いに平行に配された第１および第２の平板部（４ａ1，４ａ2）と、該第１および第２の平板部同士をその上端部で連結する連結部（４ｂ）と、前記引掛け部の前記本体と反対側の前記第１の平板部に先端部を前記第１および第２の平板部の間に位置させて取り付けられたかつ該第１の平板部を貫通した固定用ネジ（５）と、該固定用ネジの先端部に設けられたかつ前記第１の平板部と前記第２の平板部との間で前記引掛け部を引っ掛ける対象を挟み付けるための押え板（６）とを備えてもよい。
前記引掛け部（３４）が、一部が開放したリング部（３４ａ）と、該リング部を締め付けるためのボルト（３５ａ）およびナット（３５ｂ）とを備えてもよい。
第１および第２の固定用ロープ（３８1，３８2）の一端が取り付けられたロープ取付部（３７）が、前記本体（３２）の下端に設けられていてもよい。
前記引掛け部（４４）が、フック（５２）に引っ掛けることができるように鉤型となっていてもよい。
前記本体の前記引掛け部と反対側に設けられたかつ他の光ケーブル心線振止め具の他の本体と連結するための連結手段（２ｂ）をさらに具備してもよい。
【発明の効果】
【０００７】
本発明の光ケーブル心線振止め具は、以下に示す効果を奏する。
（１）心線受けによって光ケーブル心線を支持するので、光ケーブル心線が風などで振れて損傷しないようにすることができる。
（２）心線受けによって順序良く光ケーブル心線を支持することができるので、作業員が作業対象の光ケーブル心線を間違えにくいようにすることができる。
【発明を実施するための最良の形態】
【０００８】
光ケーブル心線が風などで振れて損傷しないようにするという目的を、光ケーブル心線を支持するための心線受けを本体から突出して設けることにより実現した。
【実施例１】
【０００９】
次に、本発明の光ケーブル心線振止め具の実施例について、図面を参照して説明する。
まず、本発明の第１の実施例による光ケーブル心線振止め具（以下、「心線振止め具」と称する。）１について、図１乃至図４を参照して説明する。
本実施例による心線振止め具１は、高所作業車のバケット内での作業に適するように構成されたものであり、図１に示すように、板状の本体２と、本体２から突出して設けられたかつ光ケーブル心線１１（図３参照）を支持するための第１乃至第４の心線受け３1〜３4と、本体２の長手方向の一端部に着脱自在に設けられた引掛け部４とを具備する。
【００１０】
ここで、第１乃至第４の心線受け３1〜３4は、長さ７０ｍｍ程度の丸棒状の部材であり、本体２の片面側に本体２の長手方向に沿って一列に設けられている。
第１乃至第４の心線受け３1〜３4の先端部は、第１乃至第４の心線受け３1〜３4によって支持された光ケーブル心線１１が本体２から遠ざかる方向にずれた際に第１乃至第４の心線受け３1〜３4から落下しないように、心線振止め具１の使用時の姿勢で上側となる向きに屈曲されている。また、第１乃至第４の心線受け３1〜３4の屈曲部は、光ケーブル心線１１が屈曲部側へずれた際に屈曲部で傷付けられないようにするために、丸みをもたせて曲げられている。
なお、心線受けの個数は、本実施例では４個（第１乃至第４の心線受け３1〜３4）としているが、処理する光ケーブル心線の本数に応じて任意の個数とすることができる。
【００１１】
引掛け部４は、本体２の長手方向に延びて、第１乃至第４の心線受け３1〜３4が設けられた面と反対側に折り返された鉤状の部材から構成されている。
引掛け部４の鉤形状は、引掛け部４を引っ掛ける対象の形状に応じて心線振止め具１を安定して支持させることのできる形状とされる。
本実施例による心線振止め具１では、高所作業車のバケット２０（図３参照）に掛けて使用することを前提にしているので、引掛け部４は、間隔をあけて互いに平行に配された第１および第２の平板部４ａ1，４ａ2と、第１および第２の平板部４ａ1，４ａ2同士をその上端部で連結する連結部４ｂとを有して構成されている。引掛け部４をバケット２０に引っ掛ける際は、バケット２０の側壁を第１および第２の平板部４ａ1，４ａ2の間に進入させる。そのため、第１および第２の平板部４ａ1，４ａ2の間隔は、バケットの側壁の厚さよりも大きくされている。
【００１２】
引掛け部４の本体２と反対側の第１の平板部４ａ1には、第１の平板部４ａ1を貫通した固定用ネジ５が、先端部を第１および第２の平板部４ａ1，４ａ2の間に位置させて取り付けられている。固定用ネジ５の先端部には、第１の平板部４ａ1と第２の平板部４ａ2との間でバケット２０の側壁を挟み付けるための押え板６が設けられている。
【００１３】
本体２と引掛け部４とは、上述したように着脱自在に連結されているが、両者の連結部の構造の一例について、図２を参照して以下に説明する。
図２に示すように、本体２の上端には、中空構造の突起部２ａが、本体２の長手方向に延びて形成されている。一方、引掛け部４の下端部には、突起部２ａが下方から嵌め込まれるように下面が開口した凹部９ａが形成されている。また、引掛け部４の下端部には、凹部９ａの側壁を構成する部分を貫通する係合穴９ｂが形成されている。
なお、本明細書においては、「上」および「下」とは、心線振止め具１の使用時の姿勢における上下を意味する。
【００１４】
本体２の突起部２ａの内部には、係合ボタン７が、突起部２ａの側壁に形成された開口部から出没自在に設けられている。係合ボタン７は、ばね８によって開口部から突出する向きに付勢されており、開口部からの係合ボタン７の突出量は、係合ボタン７に一体的に設けられたストッパ７ａによって規制されている。
【００１５】
本体２と引掛け部４とを連結する際は、係合ボタン７を押し込んだ状態で、本体２の突起部２ａを引掛け部４の凹部９ａ内に挿入する。突起部２ａが凹部９ａ内に挿入され、係合ボタン７が係合穴９ｂと対向する位置まで達すると、係合ボタン７がばね８の付勢力によって係合穴９ｂ内に進入することによって、引掛け部４と本体２とが連結される。
一方、本体２と引掛け部４とを分離する際は、係合ボタン７を押し込んで係合穴９ｂとの係合を解除し、その状態で凹部９ａから突起部２ａを引き抜けばよい。
【００１６】
なお、図２に示すように、突起部２ａの先端側に行くほど厚さが薄くなるように係合ボタン７をテーパ形状とすれば、本体２と引掛け部４との連結の際に係合ボタン７を押し込まなくても突起部２ａを凹部９ａに挿入することができる。
また、図１に示すように、本体２の下端部に、上述した引掛け部４の下端部と同じ構造（すなわち、下面に開口した凹部と、この凹部を形成する壁部分を貫通する係合穴２ｂとを有する構造）とすることにより、他の心線振止め具１の本体２と連結可能とするようにしてもよい。
さらに、本体２と引掛け部４とを互いに係合させることによって引掛け部４を着脱自在としたが、これに限らず、ビスによって引掛け部４を着脱自在とした構成であってもよい。また、引掛け部４を着脱自在としたのは、心線振止め具１を掛ける対象に応じて引掛け部４の形態を適宜変更できるようにするためであり（その具体例については後述する。）、心線振止め具１を掛ける対象が特定されている場合には、本体２と引掛け部４とは分離不能に構成されていてもよい。
【００１７】
次に、本実施例による心線振止め具１の使用例として、高所作業車を用いて２本の光ケーブルの接続作業を行う場合について、図３を参照して説明する。
まず、高所作業車のブーム２１を動作させて、電柱付近に設置されたクロージャ（不図示）の近傍にバケット２０を配置させる。
【００１８】
その後、バケット２０の図３図示左右の側壁にそれぞれ１個の心線振止め具１を固定するとともに、バケット２０の図３図示手前の側壁に２個の心線振止め具１を固定する。このとき、各心線振止め具１は、第１乃至第４の心線受け３1〜３4がバケット２０の内側を向くように固定される。また、バケット２０への心線振止め具１の固定は、引掛け部４をバケット２０の側壁に引っ掛けたのち、固定用ネジ５を締め付けることによって行う。
【００１９】
心線振止め具１をバケット２０に固定すると、クロージャを開いて、接続作業の対象となるテープ心線１１の余長部分を左右に引き出す。そして、引き出したテープ心線１１を、一方は右回り他方は左回りというように、クロージャに近い側の心線振止め具１から順次に２個の心線振止め具１に留めながら、バケット２０の内周に沿って作業台２２まで引き回していく。このとき、テープ心線１１を心線振止め具１に留める際には、テープ心線１１を心線振止め具１の第１乃至第４の心線受け３1〜３4に支持させる。
【００２０】
すなわち、図３図示左側の一番上のテープ心線１１は、バケット２０の図３図示左の側壁に固定された心線振止め具１の第１の心線受け３1によって支持されたのち、バケット２０の図３図示手前の側壁に固定された２個の心線振止め具１のうちの図示左の心線振止め具１の第１の心線受け３1によって支持されることにより、２個の心線振止め具１に留められる。同様にして、図３図示左の上から２番目乃至４番目のテープ心線１１は、バケット２０の図３図示左の側壁に固定された心線振止め具１の第２乃至第４の心線受け３2〜３4によってそれぞれ支持されたのち、バケット２０の図３図示手前の側壁に固定された２個の心線振止め具１のうちの図示左の心線振止め具１の第２乃至第４の心線受け３2〜３4によってそれぞれ支持されることにより、２個の心線振止め具１にそれぞれ留められる。
【００２１】
また、図３図示右の一番上のテープ心線１１は、バケット２０の図３図示右の側壁に固定された心線振止め具１の第１の心線受け３1によって支持されたのち、バケット２０の図３図示手前の側壁に固定された２個の心線振止め具１のうちの図示右の心線振止め具１の第１の心線受け３1によって支持されることにより、２個の心線振止め具１に留められる。同様にして、図３図示右の上から２番目乃至４番目のテープ心線１１は、バケット２０の図３図示右の側壁に固定された心線振止め具１の第２乃至第４の心線受け３2〜３4によってそれぞれ支持されたのち、バケット２０の図３図示手前側の側壁に固定された２個の心線振止め具１のうちの図示右の心線振止め具１の第２乃至第４の心線受け３2〜３4によってそれぞれ支持されることにより、２個の心線振止め具１にそれぞれ留められる。
【００２２】
ここで、第１乃至第４の心線受け３1〜３4へのテープ心線１１の支持は、１つのテープ心線１１を第１の心線受け３1に載せることにより行って、第１の心線受け３1上でのテープ心線１１の位置を安定にさせる。
【００２３】
なお、テープ心線１１が長過ぎて第１の心線受け３1に載せただけでは支持しきれない場合には、図４に第１の心線受け３1へのテープ心線１１の支持について示すように、１つのテープ心線１１を第１の心線受け３1に巻き付けてもよい。ただし、この場合には、テープ心線１１が破損したり撚りが出たりしないように、テープ心線１１は大きく巻き付けるようにする（図６参照）。
【００２４】
このようにして左右に引き回された２組のテープ心線１１は、バケット２０の内側を半周ずつしたのち、作業台２２において先端部が向かい合う。向かい合ったテープ心線１１の先端部同士を接続する。テープ心線１１の接続作業が終了したら、テープ心線１１を心線振止め具１の第１乃至第４の心線受け３1〜３4から外し、クロージャへ戻す。テープ心線１１をクロージャに収容すると、クロージャを閉じる。最後に、すべての心線振止め具１をバケット２０から外し、ブーム２１を動作させてバケット２０を降ろして、作業を終了する。
【００２５】
以上説明したように、テープ心線１１を心線振止め具１の第１乃至第４の心線受け３1〜３4に支持させた状態でテープ心線１１の接続作業を行えるので、テープ心線１１が風で揺れたり他の部材と接触したりすることによってテープ心線１１が損傷することを防止することができる。
【００２６】
なお、バケット２０の図３図示左右の側壁にそれぞれ１個の心線振止め具１を固定するとともにバケット２０の図３図示手前の側壁に２個の心線振止め具１を固定したが、バケット２０の各側壁に固定する心線振止め具１の個数は、これ以上の個数であってもよい。
【実施例２】
【００２７】
次に、本発明の第２の実施例による心線振止め具３１について、図５および図６を参照して説明する。
本実施例による心線振止め具３１は、上述した第１の実施例による心線振止め具１と同様に、本体３２と引掛け部３４とを具備する。
【００２８】
本体３２には、図１に示した本体２と同様に、第１乃至第４の心線受け３３1〜３３4（図５には、第２および第３の心線受け３３2，３３3は不図示）が設けられている。
また、本体３２の下端には、第１および第２の固定用ロープ３８1，３８2の一端が取り付けられたロープ取付部３７が設けられており、第１および第２の固定用ロープ３８1，３８2の他端をロープ固定具に固定することにより、風などで心線振止め具３１が揺れることを防止できるようにしている。
【００２９】
引掛け部３４は、一部が開放したリング部３４ａを有し、この開放した部分を介してリング部３４ａの中に、図６に示すように、クロージャ１５を支持する吊線１２が通される。
リング部３４ａに吊線１２を通す際は、開放した部分を広げる。リング部３４ａの内径は吊線１２の外径とほぼ等しい。リング部３４ａに吊線１２を通したのち、蝶ボルト３５ａとナット３５ｂとでリング部３４ａを締め付けることにより、心線振止め具３１が吊線１２に吊り下げられた状態で固定される。
【００３０】
本体３２および引掛け部３４は、互いに着脱自在に設けられていてもよいし、一体に設けられていてもよい。本体３２およびロープ取付部３７についても、互いに着脱自在に設けられていてもよいし、一体に設けられていてもよい。本体３２、引掛け部３４およびロープ取付部３７のすべてを着脱自在とする場合には、図２に示した構造の連結手段を用いればよい。
【００３１】
次に、本実施例による心線振止め具３１の使用例として、高所作業車を用いて光ケーブル１０に収納されている各光ケーブル心線の伝送損失を測定する作業を行う場合について、図６を参照して説明する。
まず、高所作業車のブーム２１を動作させて、電柱付近に設置されたクロージャ１５の近傍にバケット２０を配置させる。
【００３２】
その後、心線振止め具３１の引掛け部３４を吊線１２に固定したのち、第１および第２の固定用ロープ３８1，３８2の他端を、バケット２０の内面に取り付けられた第１および第２のロープ固定具２０ａ1，２０ａ2（第１のロープ固定具２０ａ1は不図示）に固定する。これにより、心線振止め具３１を吊線１２とバケット２０との間で安定に保持して、風などで心線振止め具３１が揺れないようにする。
【００３３】
その後、上述した第１の実施例による心線振止め具１を用いた２本の光ケーブルの接続作業のときと同様にして、クロージャ１５から引き出したテープ心線１１を心線振止め具３１の第１乃至第４の心線受け３３1〜３３4に大きく巻き付けて支持させる。これにより、クロージャ１５から引き出されたテープ心線１１の先端部の位置が安定する。
この状態で、テープ心線１１の各心線の先端に仮コード１３の一端をそれぞれ融着接続する。仮コード１３の他端には測定器（たとえば、パワーメータ）が取り付けられており、この測定器で光ケーブル１０の諸特性を測定する。
【００３４】
なお、高所作業車を使用して吊線１２とバケット２０との間で心線振止め具３１を固定した例を示したが、高所作業車をせずに、たとえば電柱などに足場を組んで、この足場の上で作業を行う場合には、足場に第１および第２の固定用ロープ３８1，３８2の他端を固定すればよい。また、たとえば地上で作業を行う場合には、重りとなる重り部材を地上に置いて、重り部材に第１および第２の固定用ロープ３８1，３８2の他端を固定してもよい。さらに、作業場所が電柱の近くであれば、電柱に第１および第２の固定用ロープ３８1，３８2の他端を固定してもよい。
【実施例３】
【００３５】
次に、本発明の第３の実施例による心線振止め具４１について、図７を参照して説明する。
本実施例による心線振止め具４１は、建物内での光ケーブルの処理時において使用されるものであり、たとえば、図７に示すように、アウトレット側の光ケーブル１０から剥き出されたテープ心線１１（光ケーブル心線）と局用装置（不図示）に接続された光ケーブル５４から剥き出されたテープ心線５５（光ケーブル心線）とを中間配線盤５０（ＩＤＦ）内でジャンパー心線５３を介して接続する前に、テープ心線１１の試験を行う際に使用される。
【００３６】
本実施例による心線振止め具４１は、中間配線盤５０の両開きの扉５１の一方の裏面に取り付けられたフック５２に引っ掛けることができるように引掛け部４４が鉤型となっている点で、図１に示した第１の実施例による心線振止め具１と異なる。
【００３７】
これにより、引掛け部４４をフック５２に引っ掛けたのち、上述した第１の実施例による心線振止め具１を用いた２本の光ケーブルの接続作業のときと同様にして、各テープ心線１１を心線振止め具４１の第１乃至第４の心線受け４３1〜４３4に載せて支持させる。この状態で、パワーメータなどを用いて各テープ心線１１の諸特性を試験し、問題がなければ、各テープ心線１１を対応のジャンパー心線５３と融着接続する。
【００３８】
なお、心線振止め具４１についても、本体４２および引掛け部４４は着脱自在であってもよいし一体であってもよい。また、本体４２および引掛け部４４を着脱自在とする場合には、図２に示した構造の連結手段を用いればよい。
【産業上の利用可能性】
【００３９】
本発明の心線振止め具は、たとえば、屋外での光ケーブル心線の接続作業などに利用することができる。
【図面の簡単な説明】
【００４０】
【図１】本発明の第１の実施例による心線振止め具の斜視図である。
【図２】図１に示した心線振止め具１における本体２と引掛け部４との連結部の構成を説明するための断面図である。
【図３】図１に示した心線振止め具１の使用例を説明するための図である。
【図４】図１に示した第１の心線受け３1へのテープ心線の掛け方の一例を示す拡大斜視図である。
【図５】本発明の第２の実施例による心線振止め具３１の側面図である。
【図６】図５に示した心線振止め具３１の使用例を説明するための図である。
【図７】本発明の第３の実施例による心線振止め具４１およびその使用例を説明するための図である。
【符号の説明】
【００４１】
１，３１，４１  心線振止め具
２，３２，４２  本体
２ａ  突起部
２ｂ，９ｂ  係合穴
３1〜３4，３３1〜３３4，４３1〜４３4  心線受け
４，３４，４４  引掛け部
４ａ1，４ａ2  第１および第２の平板部
４ｂ  連結部
５  固定用ネジ
６  押え板
７  係合ボタン
７ａ  ストッパ
８  ばね
９ａ  凹部
１０，５４  光ケーブル
１１，５５  テープ心線
１２  吊線
１３  仮コード
１５  クロージャ
２０  バケット
２０ａ1，２０ａ2  第１および第２のロープ固定具
２１  ブーム
２２  作業台
３７  ロープ取付部
３８1，３８2  第１および第２の固定用ロープ
３４ａ  リング部
３５ａ  蝶ボルト
３５ｂ  ナット
５０  中間配線盤
５１  扉
５２  フック
５３  ジャンパー心線
【図１】
2007164015.tif 000003
【図２】
2007164015.tif 000004
【図３】
2007164015.tif 000005
【図４】
2007164015.tif 000006
【図５】
2007164015.tif 000007
【図６】
2007164015.tif 000008
【図７】
2007164015.tif 000009